【手続補正書】
【提出日】平成18年8月16日(2006.8.16)
【手続補正１】
【補正対象書類名】明細書
【補正対象項目名】特許請求の範囲
【補正方法】変更
【補正の内容】
【特許請求の範囲】
【請求項１】  長手方向軸線を有する光サーキュレータであって、
少なくとも１つの光ビームを２つの直交成分ビームに変位し、少なくとも２つの偏向成分ビームを結合して１つの光ビームを形成する第１ビーム・ディスプレサー／コンバイナと、
前記長手方向軸線に沿って前記第１ビーム・ディスプレサー／コンバイナと末梢側で光学的に結合され、前記偏光成分ビームの偏光配向を回転する第１非双方向回転子と、
前記長手方向軸線に沿って前記第１非双方向回転子と末梢側で光学的に結合され、前記偏光成分ビームを角度を成して方向転換する第１ビーム角度ターナーであり、該偏光成分ビームの偏光及び伝播方向に依存して、該偏光ビームの経路が、前記サーキュレータの前記長手方向軸線に収束するか或はその長手方向軸線から発散することから成る第１ビーム角度ターナーと、
前記長手方向軸線に沿って前記第１ビーム角度ターナーと末梢側で光学的に結合され、前記偏光成分ビームを角度を成して方向転換する第２ビーム角度ターナーであり、該偏光成分ビームの偏光及び伝播方向に依存して、該偏光ビームの経路が、前記サーキュレータの前記長手方向軸線に収束するか或はその長手方向軸線から発散することから成る第２ビーム角度ターナーと、
前記長手方向軸線に沿って前記第２ビーム角度ターナーと末梢側で光学的に結合され、前記偏光成分ビームの偏光配向を回転する第２非双方向回転子と、
前記長手方向軸線に沿って前記第２非双方向回転子と末梢側で光学的に結合され、少なくとも１つの光ビームを２つの直交成分ビームに変位し、少なくとも２つの偏向成分ビームを結合して１つの光ビームを形成する第２ビーム・ディスプレサー／コンバイナと、
を備える光サーキュレータ。
【請求項２】  前記長手方向軸線に沿って前記第１ビーム・ディスプレサー／コンバイナと基端側で光学的に結合され、少なくとも２つ或は３つの隣接して離間する光ビームを前記サーキュレータの前記長手方向軸線に対して収束或は発散の伝播方向に方向転換する少なくとも１つの結像要素を更に備える、請求項１に記載の光サーキュレータ。
【請求項３】  前記長手方向軸線に沿って前記第２ビーム・ディスプレサー／コンバイナと末梢側で光学的に結合され、前記第２ビーム・ディスプレサー／コンバイナに光を結合するか或は該第２ビーム・ディスプレサー／コンバイナからの光を平行化する少なくとも１つの結像要素を更に備える、請求項１に記載の光サーキュレータ。
【請求項４】  前記第１及び第２のビーム・ディスプレサー／コンバイナが複屈折結晶板を含む、請求項１に記載の光サーキュレータ。
【請求項５】  少なくとも２つの光ポートが前記長手方向軸線に沿って前記第１ビーム・ディスプレサー／コンバイナと基端側で光学的に結合され、且つ、１つの光ポートが前記長手方向軸線に沿って前記第２ビーム・ディスプレサー／コンバイナと末梢側で光学的に結合されように分布された３つ或はそれ以上の光ポートを更に備える、請求項１に記載の光サーキュレータ。
【請求項６】  ４つ或はそれ以上の光ポートを備える、請求項５に記載の光サーキュレータ。
【請求項７】  前記第１或は第２のビーム角度ターナーが、２つ以上のローションプリズム、ウォラストンプリズム、変更ローションプリズム、変更ウォラストンプリズム、或は、完全ギャップで分離された複屈折プリズムである、請求項１に記載の光サーキュレータ。
【請求項８】  前記第１或は第２のビーム角度ターナーの各々が、２つ或はそれ以上のローション、ウォラストンプリズム、変更ローションプリズム、若しくは、変更ウォラストンプリズム、或は、完全ギャップで分離された複屈折プリズムである、請求項７に記載の光サーキュレータ。
【請求項９】  前記第１及び第２のビーム角度ターナーが、前記光サーキュレータの前記長手方向軸線に沿って且つ当該第１及び第２のビーム角度ターナーの間に完全ギャップを画成する、請求項１に記載の光サーキュレータ。
【請求項１０】  前記第１或は第２のビーム角度ターナーが、前記光サーキュレータの前記長手方向軸線に沿って完全ギャップを画成し、該完全ギャップが当該第１或は第２のビーム角度ターナーの部分を分離する、請求項１に記載の光サーキュレータ。
【請求項１１】  前記第１或は第２の非双方向回転子がファラデー回転子を含む、請求項１に記載の光サーキュレータ。
【請求項１２】  前記第１或は第２の非双方向回転子が、２つ或はそれ以上の非双方向回転子を含み、それら２つ或はそれ以上の非双方向回転子の各々が、通過する前記偏光成分ビームの偏光配向を、当該２つ或はそれ以上の非双方向回転子の内の他方に対して同一偏光配向或は異なる偏光配向に回転する、請求項１に記載の光サーキュレータ。
【請求項１３】  前記２つ或はそれ以上の非双方向回転子の各々が、通過する前記偏光成分ビームの偏光配向を、当該２つ或はそれ以上の非双方向回転子の内の他方に対して異なる偏光配向に回転する、請求項１２に記載の光サーキュレータ。
【請求項１４】  偏光モード分散が実質的に削除されている、請求項１に記載の光サーキュレータ。
【請求項１５】  光ビーム経路を有する光サーキュレータであって、
少なくとも１つの光ビームを２つの直交成分ビームに変位し、少なくとも２つの偏向成分ビームを結合して１つの光ビームを形成する第１ビーム・ディスプレサー／コンバイナと、
前記光ビーム経路に沿って前記第１ビーム・ディスプレサー／コンバイナと光学的に結合された前記第１ビーム・ディスプレサー／コンバイナと光学的に結合され、少なくとも２つの偏向成分ビームを結合して１つの光ビームを形成する第２ビーム・ディスプレサー／コンバイナと、
前記光ビーム経路に沿って前記第１ビーム・ディスプレサー／コンバイナと光学的に結合され、前記偏光成分ビームを角度を成して方向転換し、該偏光成分ビームの偏光及び伝播方向に依存して、該偏光ビームの経路が、当該第１ビーム角度ターナーに入る直前に該偏光成分ビームが有した前記ビーム経路に収束するか或はそのビーム経路から発散することから成る第１ビーム角度ターナーと、
前記光ビーム経路に沿って前記第２ビーム・ディスプレサー／コンバイナ及び前記第１角度ターナーと光学的に結合され、前記偏光成分ビームを角度的に方向転換する第２ビーム角度ターナーであり、該偏光成分ビームの偏光及び伝播方向に依存して、該偏光ビームの経路が、当該第２ビーム角度ターナーに入る直前に該偏光成分ビームが有した前記ビーム経路に収束するか或はそのビーム経路から発散することから成る第２ビーム角度ターナーと、
前記光ビーム経路に沿って前記第１ビーム・ディスプレサー／コンバイナ及び前記ビーム角度ターナーと光学的に結合され、前記偏光成分ビームの偏光配向を回転する第１非双方向回転子と、
前記第２ビーム角度ターナーと光学的に結合され、前記偏光成分ビームの偏光配向を回転する第２非双方向回転子と、
を備える光サーキュレータ。
【請求項１６】  前記第１ビーム・ディスプレサー／コンバイナと光学的に結合された少なくとも１つの結像要素であり、２つ或はそれ以上の隣接して離間する光ビームを、前記第１結像要素に入る直前に該光ビームが有した前記ビーム経路に対して収束或は発散の伝播方向に方向転換する少なくとも１つの結像要素を更に備える、請求項１５に記載の光サーキュレータ。
【請求項１７】  前記第２ビーム・ディスプレサー／コンバイナと光学的に結合された少なくとも１つの結像要素であり、前記第２ビーム・ディスプレサー／コンバイナに光を結合するか或は該第２ビーム・ディスプレサー／コンバイナからの光を平行化する少なくとも１つの結像要素を更に備える、請求項１５に記載の光サーキュレータ。
【請求項１８】  前記第１及び第２のビーム・ディスプレサー／コンバイナが複屈折結晶板を含む、請求項１５に記載の光サーキュレータ。
【請求項１９】  少なくとも２つの光ポートが前記第１ビーム・ディスプレサー／コンバイナと光学的に結合され、且つ、１つの光ポートが前記第２ビーム・ディスプレサー／コンバイナと光学的に結合されように分布された３つ或はそれ以上の光ポートを更に備える、請求項１５に記載の光サーキュレータ。
【請求項２０】  ４つ或はそれ以上の光ポートを備える、請求項１５に記載の光サーキュレータ。
【請求項２１】  前記第１或は第２のビーム角度ターナーが、ローションプリズム、ウォラストンプリズム、変更ローションプリズム、若しくは、変更ウォラストンプリズム、或は、完全ギャップで分離された複屈折プリズムである、請求項１５に記載の光サーキュレータ。
【請求項２２】  前記第１或は第２のビーム角度ターナーの各々が、２つ或はそれ以上のローションプリズム、ウォラストンプリズム、変更ローションプリズム、若しくは、変更ウォラストンプリズム、或は、完全ギャップで分離された複屈折プリズム対を含む、請求項２１に記載の光サーキュレータ。
【請求項２３】  前記第１及び第２のビーム角度ターナーが、前記光ビーム経路に沿って完全ギャップを画成する、請求項１５に記載の光サーキュレータ。
【請求項２４】  前記第１或は第２のビーム角度ターナーが、前記光ビーム経路に沿って完全ギャップを画成し、該完全ギャップが当該第１或は第２のビーム角度ターナーの部分を分離する、請求項１５に記載の光サーキュレータ。
【請求項２５】  前記第１或は第２の非双方向回転子がファラデー回転子を含む、請求項１５に記載の光サーキュレータ。
【請求項２６】  前記第１或は第２の非双方向回転子が２つ或はそれ以上の非双方向回転子を含み、それら２つ或はそれ以上の非双方向回転子の各々が、通過する前記偏光成分ビームの偏光配向を、当該２つ或はそれ以上の非双方向回転子の内の他方に対して同一偏光配向或は異なる偏光配向に回転する、請求項１５に記載の光サーキュレータ。
【請求項２７】  前記２つ或はそれ以上の非双方向回転子の各々が、通過する偏光成分ビームの偏光配向を、当該２つ或はそれ以上の非双方向回転子の内の他方に対して異なる偏光配向に回転する、請求項２６に記載の光サーキュレータ。
【請求項２８】  偏光モード分散が実質的に削除されている、請求項１５に記載の光サーキュレータ。
【請求項２９】  請求項１に記載の光サーキュレータを含む光通信システム。
【請求項３０】  前記通信システムが、波長分割多重化器、エルビウム光ファイバ増幅器、アッド−ドロップ多重化器、分散補償器、並びに、光パルス試験器を含む、請求項２９に記載の光通信システム。
【請求項３１】  請求項１５に記載の光サーキュレータを含む光通信システム。
【請求項３２】  前記光通信システムが、波長分割多重化器、エルビウム光ファイバ増幅器、アッド−ドロップ多重化器、分散補償器、並びに、光パルス試験器を含む、請求項３１に記載の光通信システム。
【請求項３３】  請求項１に記載の光サーキュレータにおける光ビームのビーム分離を調節する方法であって、前記サーキュレータの前記水平軸線に沿うと共に前記第１及び第２のビーム角度ターナーによって画成された完全ギャップの長さを調節することを含む方法。
【請求項３４】  請求項１５に記載の光サーキュレータに入るか或は該光サーキュレータを出る光ビームのビーム分離を調節する方法であって、前記第１及び第２のビーム角度ターナーによって画成された完全ギャップの長さを調節することを含む方法。
【請求項３５】  請求項１に記載の光サーキュレータの少なくとも１つを有する光路の通過を含む光信号を循環させる方法。
【請求項３６】  請求項１５に記載の光サーキュレータの少なくとも１つを有する光路の通過を含む光信号を循環させる方法。